(57)【要約】    【課題】  連写機能付きカメラ付き携帯電話において、連写のための操作が容易であり、俊敏かつ的確な連写撮影を可能とするカメラ付き携帯電話を提供する。    【解決手段】  連続撮影の機能を有するカメラを搭載したカメラ付き携帯電話であって、カメラによる撮影モードにおいて、キー入力部の数字キーが操作された場合に、数字キーの数字に対応する枚数を連続撮影する。【選択図】      図３
2005236553.tif 000002
【特許請求の範囲】
【請求項１】
連続撮影の機能を有するカメラを搭載したカメラ付き携帯電話であって、
前記カメラによる撮影モードにおいて、
キー入力部の数字キーが操作された場合に、前記数字キーの数字に対応する枚数を連続撮影することを特徴とするカメラ付き携帯電話。
【請求項２】
所定の値をオフセット値として設定し、前記オフセット値を撮影枚数に加える特定の第１キーを割り当て、前記特定の第１キーの操作に続いて、前記数字キーを操作することで、前記オフセット値と前記数字キーの数を合計した数の枚数を連続撮影することを特徴とする請求項１に記載のカメラ付き携帯電話。
【請求項３】
前記特定の第１キーを複数回操作した場合、前記特定の第１キーの操作回数に、前記オフセット値を乗じた値に、続いて操作した前記数字キーの数を合計した数の枚数を連続撮影することを特徴とする請求項２に記載のカメラ付き携帯電話。
【請求項４】
前記オフセット値を格納する記憶部を有し、オフセット値の設定において、前記特定の第１キーを操作することで、所定の値をオフセット値として前記記憶部に登録し、登録した前記オフセット値から所定の値を減じる特定の第２キーを割り当て、前記特定の第２キーを操作することで、前記登録されているオフセット値から所定の値を減じた値をオフセット値として前記記憶部に登録することを特徴とする請求項３に記載のカメラ付き携帯電話。
【請求項５】
前記特定の第１キー又第２キーが操作されることで、オフセット値の設定モードとなり、操作されたキーが前記特定の第１キーである場合、前記記憶部のオフセット値が予め定めた最大値であるかを判別し、最大値でなければ、前記記憶部のオフセット値に前記所定の値を加えた値を新たなオフセット値として登録し、
操作されたキーが前記特定の第２キーである場合、前記記憶部のオフセット値が０かどうかを判別し、０でなければ、前記記憶部のオフセット値から前記所定の値を減じた値を新たなオフセット値として登録することを特徴とする請求項４に記載のカメラ付き携帯電話。
【請求項６】
前記カメラ付き携帯電話が動画撮影の機能を有する場合、前記カメラによる撮影モードにおいて、キー入力部の数字キーが操作された場合に、前記数字キーの数字に対応する秒数の動画撮影を行うことを特徴とする請求項１に記載のカメラ付き携帯電話。
【請求項７】
前記カメラ付き携帯電話がセルフタイマーの機能を有する場合、前記カメラによる撮影モードにおいて、キー入力部の数字キーが操作された場合に、前記数字キーの数字に対応する秒数の後、撮影を行うことを特徴とする請求項１に記載のカメラ付き携帯電話。
【請求項８】
連続撮影の機能を有するカメラを搭載したカメラ付き携帯電話上で実行され、
前記カメラによる撮影モードにおいて、
キー入力部の数字キーが操作された場合に、前記数字キーの数字に対応する枚数を連続撮影する機能を実行することを特徴とするカメラ制御プログラム。
【請求項９】
所定の値をオフセット値として設定し、前記オフセット値を撮影枚数に加える特定の第１キーを割り当て、前記特定の第１キーの操作に続いて、前記数字キーを操作することで、前記オフセット値と前記数字キーの数を合計した数の枚数を連続撮影する機能を有することを特徴とする請求項８に記載のカメラ制御プログラム。
【請求項１０】
前記特定の第１キーを複数回操作した場合、前記特定の第１キーの操作回数に、前記オフセット値を乗じた値に、続いて操作した前記数字キーの数を合計した数の枚数を連続撮影する機能を有することを特徴とする請求項９に記載のカメラ制御プログラム。
【請求項１１】
前記オフセット値を格納する記憶部を有し、オフセット値の設定において、前記特定の第１キーを操作することで、所定の値をオフセット値として前記記憶部に登録し、登録した前記オフセット値から所定の値を減じる特定の第２キーを割り当て、前記特定の第２キーを操作することで、前記登録されているオフセット値から所定の値を減じた値をオフセット値として前記記憶部に登録する機能を有することを特徴とする請求項１０に記載のカメラ制御プログラム。
【請求項１２】
前記特定の第１キー又第２キーが操作されることで、オフセット値の設定モードとなり、操作されたキーが前記特定の第１キーである場合、前記記憶部のオフセット値が予め定めた最大値であるかを判別し、最大値でなければ、前記記憶部のオフセット値に前記所定の値を加えた値を新たなオフセット値として登録し、
操作されたキーが前記特定の第２キーである場合、前記記憶部のオフセット値が０かどうかを判別し、０でなければ、前記記憶部のオフセット値から前記所定の値を減じた値を新たなオフセット値として登録する機能を有することを特徴とする請求項１１に記載のカメラ制御プログラム。
【請求項１３】
前記カメラ付き携帯電話が動画撮影の機能を有する場合、前記カメラによる撮影モードにおいて、キー入力部の数字キーが操作された場合に、前記数字キーの数字に対応する秒数の動画撮影を行う機能を有することを特徴とする請求項８に記載のカメラ制御プログラム。
【請求項１４】
前記カメラ付き携帯電話がセルフタイマーの機能を有する場合、前記カメラによる撮影モードにおいて、キー入力部の数字キーが操作された場合に、前記数字キーの数字に対応する秒数の後、撮影を行う機能を有することを特徴とする請求項８に記載のカメラ制御プログラム。
【発明の詳細な説明】
【技術分野】
【０００１】
本発明は、カメラ付き携帯電話に関し、特に、連写による連続撮影の容易なカメラ付き携帯電話及びカメラ制御プログラムに関する。
【背景技術】
【０００２】
携帯電話の普及に伴い、その付加価値を高めることが検討されている。なかでも、カメラ機能の付いた携帯電話は画像通信が可能であり、連写機能の付属した携帯電話も商品化されている。
【０００３】
従来の連写機能を持つカメラ付き携帯電話では、連写を行う際に、カメラ機能のメニューより連写機能を選択し、また連写枚数を選択可能な携帯電話では、これもメニューより選択する。この後、シャッターキーを押下すると、一定時間間隔での連写が可能になる構成となっている。
【０００４】
このような従来のカメラ付き携帯電話では、使用者は操作メニューより必要な項目を選択するためのキー操作を多数回行う必要があり、操作が煩わしいという問題があった。
【０００５】
このような問題の解決に類する方法として、連写時の撮影時間を長時間化する方法が、特開２００２−３３５４８６号公報（特許文献１）に記載されている。
【０００６】
特許文献１の方法では、従来内蔵メモリに記録していた連写時の画像情報を、取り外しの可能な記憶媒体に直接記録する。記憶媒体のメモリ容量は内蔵メモリに比較して大容量にできるために、長時間の記録が可能となるものである。
【特許文献１】特開２００２−３３５４８６号公報
【発明の開示】
【発明が解決しようとする課題】
【０００７】
上述した従来の技術は、いずれも以下に述べるような問題点があった。
【０００８】
従来のカメラ付き携帯電話を用いて連写を行う場合には、ユーザは操作メニューより必要な項目を選択する必要があり、キー操作を多数回行う。また、連写枚数の変更をするには、一度メニューに戻って再設定を行う必要がある。このため、場合によっては、キー操作を繰り返すことに時間を費やし、被写体の状態が変わり、シャッターチャンスが失われるという問題があった。
【０００９】
また、特許文献１の方法では、連写時の画像情報を内蔵メモリに記録する代わりに、取り外しの可能な記憶媒体に直接記録することにより、長時間の撮影を可能とするものである。
【００１０】
特許文献１に開示される方法では、長時間撮影できる利点を生かして連写を連続して行えるために、被写体の状態が変わりやすい場合には、事前に連写を開始し、撮影したい状態が終わって後、連写を停止することができる。この方法の場合、シャッターチャンスを失うことは少ない。また、比較的短い時間間隔で複数回連写を行う場合には、連続して撮影することにより１回のキー操作ですべての撮影を行うことができるというものである。
【００１１】
しかしながら、特許文献１の方法の場合、連続して撮影を行うために、画像枚数が多くなり、後で必要な部分を抽出するのに手間がかかるという欠点がある。また、長時間の連写撮影をするために、膨大なメモリ容量が必要になるという問題もある。さらに、元来長時間撮影には適するが、短い時間間隔で連写を頻繁に行う用途に適するものではない。
【００１２】
本発明の目的は、上記従来技術の欠点を解決し、連写の設定が容易で速やかな連写を可能とするカメラ付き携帯電話及び画像連写プログラムを提供することにある。
【課題を解決するための手段】
【００１３】
上記目的を達成するための本発明は、連続撮影の機能を有するカメラを搭載したカメラ付き携帯電話であって、前記カメラによる撮影モードにおいて、キー入力部の数字キーが操作された場合に、前記数字キーの数字に対応する枚数を連続撮影することを特徴とする。
【００１４】
請求項２の本発明のカメラ付き携帯電話は、所定の値をオフセット値として設定し、前記オフセット値を撮影枚数に加える特定の第１キーを割り当て、前記特定の第１キーの操作に続いて、前記数字キーを操作することで、前記オフセット値と前記数字キーの数を合計した数の枚数を連続撮影することを特徴とする。
【００１５】
請求項３の本発明のカメラ付き携帯電話は、前記特定の第１キーを複数回操作した場合、前記特定の第１キーの操作回数に、前記オフセット値を乗じた値に、続いて操作した前記数字キーの数を合計した数の枚数を連続撮影することを特徴とする。
【００１６】
請求項４の本発明のカメラ付き携帯電話は、前記オフセット値を格納する記憶部を有し、オフセット値の設定において、前記特定の第１キーを操作することで、所定の値をオフセット値として前記記憶部に登録し、登録した前記オフセット値から所定の値を減じる特定の第２キーを割り当て、前記特定の第２キーを操作することで、前記登録されているオフセット値から所定の値を減じた値をオフセット値として前記記憶部に登録することを特徴とする。
【００１７】
請求項５の本発明のカメラ付き携帯電話は、前記特定の第１キー又第２キーが操作されることで、オフセット値の設定モードとなり、操作されたキーが前記特定の第１キーである場合、前記記憶部のオフセット値が予め定めた最大値であるかを判別し、最大値でなければ、前記記憶部のオフセット値に前記所定の値を加えた値を新たなオフセット値として登録し、操作されたキーが前記特定の第２キーである場合、前記記憶部のオフセット値が０かどうかを判別し、０でなければ、前記記憶部のオフセット値から前記所定の値を減じた値を新たなオフセット値として登録することを特徴とする。
【００１８】
請求項６の本発明のカメラ付き携帯電話は、前記カメラ付き携帯電話が動画撮影の機能を有する場合、前記カメラによる撮影モードにおいて、キー入力部の数字キーが操作された場合に、前記数字キーの数字に対応する秒数の動画撮影を行うことを特徴とする。
【００１９】
請求項７の本発明のカメラ付き携帯電話は、前記カメラ付き携帯電話がセルフタイマーの機能を有する場合、前記カメラによる撮影モードにおいて、キー入力部の数字キーが操作された場合に、前記数字キーの数字に対応する秒数の後、撮影を行うことを特徴とする。
【００２０】
請求項８の本発明のカメラ制御プログラムは、連続撮影の機能を有するカメラを搭載したカメラ付き携帯電話上で実行され、前記カメラによる撮影モードにおいて、キー入力部の数字キーが操作された場合に、前記数字キーの数字に対応する枚数を連続撮影する機能を実行することを特徴とする。
【００２１】
請求項９の本発明のカメラ制御プログラムは、所定の値をオフセット値として設定し、前記オフセット値を撮影枚数に加える特定の第１キーを割り当て、前記特定の第１キーの操作に続いて、前記数字キーを操作することで、前記オフセット値と前記数字キーの数を合計した数の枚数を連続撮影する機能を有することを特徴とする。
【００２２】
請求項１０の本発明のカメラ制御プログラムは、前記特定の第１キーを複数回操作した場合、前記特定の第１キーの操作回数に、前記オフセット値を乗じた値に、続いて操作した前記数字キーの数を合計した数の枚数を連続撮影する機能を有することを特徴とする。
【００２３】
請求項１１の本発明のカメラ制御プログラムは、前記オフセット値を格納する記憶部を有し、オフセット値の設定において、前記特定の第１キーを操作することで、所定の値をオフセット値として前記記憶部に登録し、登録した前記オフセット値から所定の値を減じる特定の第２キーを割り当て、前記特定の第２キーを操作することで、前記登録されているオフセット値から所定の値を減じた値をオフセット値として前記記憶部に登録する機能を有することを特徴とする。
【００２４】
請求項１２の本発明のカメラ制御プログラムは、前記特定の第１キー又第２キーが操作されることで、オフセット値の設定モードとなり、操作されたキーが前記特定の第１キーである場合、前記記憶部のオフセット値が予め定めた最大値であるかを判別し、最大値でなければ、前記記憶部のオフセット値に前記所定の値を加えた値を新たなオフセット値として登録し、操作されたキーが前記特定の第２キーである場合、前記記憶部のオフセット値が０かどうかを判別し、０でなければ、前記記憶部のオフセット値から前記所定の値を減じた値を新たなオフセット値として登録する機能を有することを特徴とする。
【００２５】
請求項１３の本発明のカメラ制御プログラムは、前記カメラ付き携帯電話が動画撮影の機能を有する場合、前記カメラによる撮影モードにおいて、キー入力部の数字キーが操作された場合に、前記数字キーの数字に対応する秒数の動画撮影を行う機能を有することを特徴とする。
【００２６】
請求項１４の本発明のカメラ制御プログラムは、前記カメラ付き携帯電話がセルフタイマーの機能を有する場合、前記カメラによる撮影モードにおいて、キー入力部の数字キーが操作された場合に、前記数字キーの数字に対応する秒数の後、撮影を行う機能を有することを特徴とする。
【発明の効果】
【００２７】
本発明のカメラ付き携帯電話及びカメラ制御プログラムによれば、以下の効果が達成される。
【００２８】
連写撮影機能を有するカメラ付き携帯電話において、カメラ付き携帯電話の数字キーを押下するだけで、前記数字キーの数字に対応した枚数の連写を行うために、連写のための操作が極めて容易となる。
【００２９】
このため、シャッターチャンスを失うことなく、俊敏かつ的確な連写撮影が可能となる。
【実施例】
【００３０】
以下、本発明の好適な実施例について図面を参照して詳細に説明する。
【００３１】
図１は、本発明の第１の実施例によるカメラ付き携帯電話の正面の外観を示す図である。
【００３２】
図１を参照すると、カメラ付き携帯電話は、アンテナ部１１、送話部１２、受話部１３、表示部１４及びキー入力部１５を正面に備える。
【００３３】
アンテナ部１１は、無線電話通信のための電波を送受信することができる。
【００３４】
送話部１２は、通話時に自分の音声を入力する。
【００３５】
受話部１３は、通話時に相手からの音声を出力する。
【００３６】
表示部１４は、ユーザが入力時に、入力確認のための表示及びカメラ起動時におけるファインダ表示を行うことができる。
【００３７】
キー入力部１５は、通信先の電話番号、モード設定等の入力を行う装置である。数字キー入力による連写（以下では数字キー連写と略記する）の設定を入力すると、０から９の数字キーをカメラ連写機能のシャッターキーとして使用することができる。なお、０のキーは連写枚数１０枚に対応する。
【００３８】
なお、１０枚を越える枚数を連写する場合には、＃キー及び＊キーを用いて、連写枚数のオフセット設定ができる。オフセット設定はキー入力部１４の特定の第１キー及び特定の第２キーにより行うが、ここでは一例として、特定の第１キーに＃キーを、特定の第２キーに＊キーを割り当てる。
【００３９】
＃キーあるいは＊キーを押下すると、オフセット値の設定モードとなる。＃キーは、押下する毎に連写枚数を１０枚ずつ加算する。また、＊キーは、押下する毎に連写枚数を１０枚ずつ減算する。例えば、＃キーを２回押すと、オフセット枚数は２０枚となる。
【００４０】
オフセット枚数を設定後、数字キーを押下すると、オフセット枚数と数字キーの数字に対応した枚数の合計枚数が連写される。
【００４１】
オフセット値は記憶部４１に格納される。
【００４２】
オフセット値が０でない場合には、連写枚数は数字キーの数字にオフセット値を加えた枚数となる。
【００４３】
また、オフセット値が過大になるのを避けるために、オフセット可能な上限値を定めておき、オフセット上限値として、記憶部４１に格納する。
【００４４】
また、オフセット値も記憶部４１に格納される。
【００４５】
図２は、本実施例によるカメラ付き携帯電話の背面の外観を示す図である。
【００４６】
図２を参照すると、カメラ付き携帯電話は、カメラ部２１を背面に備える。カメラ部２１は、写真撮影のためのカメラであり連写機能を有する。
【００４７】
図３は、本実施例によるカメラ付き携帯電話の構成を示すブロック図である。カメラ付き携帯電話は、アンテナ部１１、送話部１２、受話部１３、表示部１４、キー入力部１５、カメラ部２１、制御回路部３１及び記憶部４１を備える。以下、制御回路部３１及び記憶部４１の説明を行う。
【００４８】
図３を参照すると、制御回路部３１は、アンテナ部１１、送話部１２、受話部１３、表示部１４、キー入力部１５、カメラ部２１及び記憶部４１に接続する。
【００４９】
制御回路部３１は、アンテナ部１１からの信号を受話部１３に送ると共に送話部の信号をアンテナ部に送る。また、キー入力部１５からの入力により、表示部１４、あるいはカメラ部２１への動作指示等を行い、カメラ付き携帯電話の動作の制御を行う。
【００５０】
制御回路部３１は、キー入力部１５から数字キー連写の設定が入力されると、数字キーの枚数に応じた連写の指示を、カメラ部２１に対して行うことができる。
【００５１】
記憶部４１は、キー入力部１５から入力されたオフセット値及びオフセット上限値を記憶する。
【００５２】
次に、本実施例による動作を、図を用いて詳細に説明する。
【００５３】
図４は本実施例によるカメラ付き携帯電話の連写による撮影の概略動作を説明するためのフローチャートである。
【００５４】
図４を参照すると、最初に、撮影モードの選択を行う（ステップ４０１）。
【００５５】
次に、数字キー連写かどうかを判定する（ステップ４０２）。
【００５６】
数字キー連写の場合には、連写枚数の設定を行う（ステップ４０３）。
【００５７】
連写枚数の設定はカメラ付き携帯電話の数字キーにより行われる。詳細については図５、図６で説明する。
【００５８】
連写枚数の設定が行われるとシャッターがＯＮとなり（ステップ４０４）、設定された枚数の撮影が行われる（ステップ４０５）。
【００５９】
図５は本実施例による数字キーを押下した際の連写の動作を説明するためのフローチャートである。なお、必要に応じて図３の主要な部分を参照する。
【００６０】
図５を参照すると、キー入力部１５のいずれかの数字キーから連写枚数の設定が入力されると、最初に、押下された数字キーが１キーであるかどうかの判定を制御回路部３１で行う（ステップ５０１）。
【００６１】
１キーが押下された場合には、制御回路部３１がカメラ部２１に１枚撮影することを指示し、カメラ部２１が単発の撮影を行う。
【００６２】
次に、制御回路部３１は１キーが押下されなかった場合には、２キーであるかどうかの判定を行い（ステップ５０２）、２キーであればカメラ部２１に２枚の連写を行うことを指示し、カメラ部２１は２枚の連写を行う。
【００６３】
以後同様に、３キー（ステップ５０３）、４キー（ステップ５０４）、５キー（ステップ５０５）、６キー（ステップ５０６）、７キー（ステップ５０７）、８キー（ステップ５０８）、９キー（ステップ５０９）と逐次判定を行う。
【００６４】
最後の９キーでない場合には、押下されたキーは０キーであり、カメラ部２１は１０枚の連写を行う。
【００６５】
このように、数字キーを押すだけで、キーの数字に対応した回数の連写が可能となる。
【００６６】
上記の数字キーを用いた設定では、１回から１０回の連写が可能であるが、１０回を越えた連写はできない。このため、次に説明するオフセット値の設定を行う。
【００６７】
図６は本実施例による連写枚数のオフセット設定の動作を説明するためのフローチャートである。オフセット値は以下に述べるように、０あるいは１０の倍数で設定を行う。また、過大な連写枚数となるのを防止するために、予め上限値を設定する。なお、必要に応じて図３の主要な部分を参照する。
【００６８】
図６を参照すると、＃キーあるいは＊キーが押下されると(ステップ６０１)、最初に、制御回路部３１は、記憶部４１に格納してあるオフセット値を読み出す（ステップ６０２）。
【００６９】
次に、押下されたキーが＃キーであるか＊キーであるかの判定を行う（ステップ６０３）。
【００７０】
押下されたキーが＃キーの場合には、記憶部４１から読み出したオフセット値が、既に設定されているオフセット上限値に等しいかどうかの判定を行い（ステップ６０４）、オフセット上限値に等しくなければ、オフセット値に１０を加え
る（ステップ６０５）。
【００７１】
制御回路部３１は、このようにして設定されたオフセット値を記憶部４１に格納する（ステップ６０６）。
【００７２】
次に、オフセット値が、オフセット上限値に等しい場合には、他の処理を行わずにオフセット設定を終了する。
【００７３】
一方、押下されたキーが＊キーである場合には、記憶部４１から読み出したオフセット値が０でない場合には、オフセット値を１０減らす（ステップ６０７）。
【００７４】
制御回路部３１は、このようにして設定されたオフセット値を記憶部４１に格納する（ステップ６０６）。
【００７５】
オフセット値が０の場合には（ステップ６０７）、他の処理を行わずにオフセット設定を終了する。
【００７６】
以上説明した実施例によれば、連写撮影機能を有するカメラ付き携帯電話において、カメラ付き携帯電話の数字キーを押下するだけで、前記数字キーの数字に対応した枚数の連写を行うために、連写のための操作が極めて容易となる。
【００７７】
このため、シャッターチャンスを失うことなく、俊敏かつ的確な連写撮影が可能となる。
【００７８】
上記実施例では＃キー及び＊キーを用いて、連写枚数のオフセット設定を行ったが、あくまで一例であり、特にこれらのキーに限定されることなく、別のキーで行ってもよい。
【００７９】
また、オフセット値の設定は１０の倍数で説明したが、一例であり、５あるいは２０等の１０以外の数字を同様に用いることができる。
【００８０】
上記の実施例は、数字キーを押下すると、キーの数字に対応した回数の連写を行う例であるが、同じ操作でキーの数字に対応した秒数の動画撮影を行うことができる。
【００８１】
以下、本発明の第２の実施例について、説明する。
【００８２】
図７は、本実施例による数字キーを押下した際の動画撮影の動作を説明するためのフローチャートである。なお、必要に応じて図３の主要な部分を参照する。
【００８３】
本実施例の場合、制御回路部３１は、キー入力部１５のいずれかの数字キーから動画撮影の秒数の設定が入力されると、当該数字キーの数字に対応した秒数に応じた動画撮影の指示を、カメラ部２１に対して行うことができる。
【００８４】
また、記憶部４１は、キー入力部１５から入力されたオフセット値を記憶する。オフセット値を設定することにより、１０秒を越える時間での動画撮影を行うことができる。
【００８５】
図７を参照すると、最初に、押下された数字キーが１キーであるかどうかの判定を制御回路部３１で行う（ステップ７０１）。
【００８６】
１キーが押下された場合には、制御回路部３１がカメラ部２１に１秒間動画撮影することを指示し、カメラ部２１が１秒間の撮影を行う。
【００８７】
次に、制御回路部３１は１キーが押下されなかった場合には、２キーであるかどうかの判定を行い（ステップ７０２）、２キーであればカメラ部２１に２秒間の動画撮影を行うことを指示し、カメラ部２１は２秒間の撮影を行う。
【００８８】
以後同様に、３キー（ステップ７０３）、４キー（ステップ７０４）、５キー（ステップ７０５）、６キー（ステップ７０６）、７キー（ステップ７０７）、８キー（ステップ７０８）、９キー（ステップ７０９）と順次判定を行う。
【００８９】
最後の９キーでない場合には、押下されたキーは０キーであり、カメラ部２１は１０秒間の動画撮影を行う。
【００９０】
このように、数字キーを押すだけで、数字の秒数の動画撮影が可能となる。
【００９１】
１０秒を越える時間の動画撮影が必要な場合には、第１の実施例の場合と同様に、オフセット値の設定を行う。
【００９２】
以上のように、動画撮影を簡単に、かつ素早く行うことができる。
【００９３】
上記の実施例は、数字キーを押下すると、キーの数字に対応した時間（秒）だけの動画撮影を行う例であるが、同じ操作でキーの数字に対応した秒数のセルフタイマー動作を行うように構成した実施例を以下に示す。
【００９４】
以下、本発明の第３の実施例について、説明する。
【００９５】
本実施例の場合、制御回路部３１は、キー入力部１５のいずれかの数字キーからセルフタイマーの設定が入力されると、数字キーの秒数に応じたセルフタイマーの指示を、カメラ部２１に対して行うことができる。
【００９６】
また、記憶部４１は、キー入力部１５から入力されたオフセット値を記憶する。オフセット値を設定することにより、１０秒を越える時間のセルフタイマーの設定を行うことができる。
【００９７】
図８は、本実施例による数字キーを押下した際のセルフタイマーの動作を説明するためのフローチャートである。なお、必要に応じて図３の主要な部分を参照する。
【００９８】
図８を参照すると、最初に、押下された数字キーが１キーであるかどうかの判定を制御回路部３１で行う（ステップ８０１）。
【００９９】
１キーが押下された場合には、制御回路部３１がカメラ部２１に１秒のセルフタイマー動作を指示し、カメラ部２１は１キーが押下された後、１秒後に撮影を行う。
【０１００】
次に、制御回路部３１は１キーが押下されなかった場合には、２キーであるかどうかの判定を行い（ステップ８０２）、２キーであればカメラ部２１に２秒のセルフタイマー動作を指示し、カメラ部２１は２キーが押下された後、２秒後に撮影を行う。
【０１０１】
以後同様に、３キー（ステップ８０３）、４キー（ステップ８０４）、５キー（ステップ８０５）、６キー（ステップ８０６）、７キー（ステップ８０７）、８キー（ステップ８０８）、９キー（ステップ８０９）と順次判定を行う。
【０１０２】
最後の９キーでない場合には、押下されたキーは０キーであり、カメラ部２１は０キーが押下された後、１０秒後に撮影を行う。
【０１０３】
このように、いずれかの数字キーを押すだけで、数字の秒数後に撮影が行われる。
【０１０４】
１０秒を越える時間のセルフタイマーの動作が必要な場合には、第１の実施例の場合と同様に、オフセットの設定を行う。
【０１０５】
本発明のカメラ付き携帯電話は、その動作をハードウェア的に実現することは勿論として、上記した各手段を実行するカメラ制御プログラム（アプリケーション）１００をカメラ付き携帯電話の制御回路部３１を構成するＣＰＵ（中央処理装置）で実行することにより、ソフトウェア的に実現することができる。このカメラ制御プログラム１００は、カメラ付き携帯電話機に内蔵される磁気ディスク、半導体メモリその他の記録媒体に格納され、その記録媒体から制御回路部３１を構成するＣＰＵにロードされ、その動作を制御することにより、上述した各機能を実現する。
【０１０６】
以上好ましい複数の実施例をあげて本発明を説明したが、本発明は必ずしも、上記実施例に限定されるものでなく、その技術的思想の範囲内において様々に変形して実施することができる。
【図面の簡単な説明】
【０１０７】
【図１】本発明の第１の実施例によるカメラ付き携帯電話の正面の外観を示す図である。
【図２】本発明の第１の実施例によるカメラ付き携帯電話の背面の外観を示す図である。
【図３】本発明の第１の実施例によるカメラ付き携帯電話の構成を示すブロック図である。
【図４】本発明の第１の実施例によるカメラ付き携帯電話の連写による撮影の概略動作を説明するためのフローチャートである。
【図５】本発明の第１の実施例による数字キーを押下した際の連写の動作を説明するためのフローチャートである。
【図６】本発明の第１の実施例による連写枚数のオフセット設定の動作を説明するためのフローチャートである。
【図７】本発明の第２の実施例による数字キーを押下した際の動画撮影の動作を説明するためのフローチャートである。
【図８】本発明の第３の実施例による数字キーを押下した際のセルフタイマーの動作を説明するためのフローチャートである。
【符号の説明】
【０１０８】
１１：アンテナ部
１２：送話部
１３：受話部
１４：表示部
１５：キー入力部
２１：カメラ部
３１：制御回路部
４１：記憶部
１００：カメラ制御プログラム
【図１】
2005236553.tif 000003
【図２】
2005236553.tif 000004
【図３】
2005236553.tif 000005
【図４】
2005236553.tif 000006
【図５】
2005236553.tif 000007
【図６】
2005236553.tif 000008
【図７】
2005236553.tif 000009
【図８】
2005236553.tif 000010